(57)【要約】【課題】多数設置される支柱を広告宣伝手段として使用できるようにした仕切用支柱を提供する。【解決手段】設置台２と、該設置台２に立設される支柱３と、該支柱３に取り付けられ隣接する支柱３との間に差し渡される仕切用条体４と、を備えた仕切用支柱１において、前記支柱３は前記設置台２に対して着脱自在になっていると共に該支柱３の少なくとも中腹部は透明な筒体３０で形成されていて、該筒体３０内に広告用印刷物又は宣伝用商品その他の広告宣伝媒体５を収納し得るように構成した。【選択図】図１
0003105325.tif 000002
【実用新案登録請求の範囲】
【請求項１】
設置台と、該設置台に立設される支柱と、該支柱に取り付けられ隣接する支柱との間に差し渡される仕切用条体と、を備えた仕切用支柱において、前記支柱は前記設置台に対して着脱自在になっていると共に該支柱の少なくとも中腹部は透明な筒体で形成されていて、該筒体内に広告用印刷物又は宣伝用商品その他の広告宣伝媒体を収納し得るように構成されていることを特徴とする仕切用支柱。
【請求項２】
設置台と、該設置台に立設される支柱と、該支柱に取り付けられ隣接する支柱との間に差し渡される仕切用条体と、を備えた仕切用支柱において、前記支柱は前記設置台に対して着脱自在になっていると共に該支柱の少なくとも中腹部は透明な筒体で形成されていて、該筒体内に広告用印刷物又は宣伝用商品その他の広告宣伝媒体を収納し得るように構成され、支柱には帯状体で形成された仕切用条体を繰り出し又は巻取収納可能にした巻取装置が取り付けられ、該支柱に対して前記巻取装置が着脱可能になっていることを特徴とする仕切用支柱。
【請求項３】
設置台と、該設置台に立設される支柱と、該支柱に取り付けられ隣接する支柱との間に差し渡される仕切用条体と、を備えた仕切用支柱において、前記支柱は前記設置台に対して着脱自在になっていると共に該支柱の少なくとも中腹部は透明な筒体で形成されていて、該筒体内に広告用印刷物又は宣伝用商品その他の広告宣伝媒体を収納し得るように構成され、設置台に支柱挿嵌用のボス部が設けられると共に該ボス部には出没可能なロック用突起部が設けられ、前記ボス部に外嵌される筒体下端部には前記ロック用突起部が嵌合するロック穴が設けられていることを特徴とする仕切用支柱。
【請求項４】
支柱が、設置台に立設される芯材支柱部と、該芯材支柱部の外周面との間に所定の隙間を有するように前記芯材支柱部に外嵌される透明な筒体とからなることを特徴とする請求項１又は２に記載の仕切用支柱。
【請求項５】
仕切用条体の先端には先端側に係入溝を縦設した係止具が取り付けられ、支柱の巻取装置の外ケースには前記係入溝に係入する係入用突片が設けられ、該係入用突片の一端側には前記係入用突片に係入した状態の係止具をロックするためのロックピンが出没自在に設けられていて、支柱の巻取装置から繰り出された仕切用条体の係止具を隣接する支柱の巻取装置の前記係入用突片にロック状態で係止するように構成したことを特徴とする請求項２に記載の仕切用支柱。
【請求項６】
支柱を構成する透明な筒体の下端部に金属製の補強部材が取り付けられ、該補強部材にロック穴が設けられていることを特徴とする請求項３に記載の仕切用支柱。
【考案の詳細な説明】
【技術分野】
【０００１】
本考案は、所定間隔で設置された支柱間に仕切用条体を架設することにより、歩行者等の通行を規制したり待機エリアを区画するようにした仕切用支柱に係り、多数設置される支柱を広告宣伝手段として使用できるようにした仕切用支柱に関する。
【背景技術】
【０００２】
所定間隔で設置された支柱間に仕切用条体を架設することにより歩行者等の通行を規制したり待機エリアを区画するようにした仕切用支柱が古くから使用されている。この場合、前記仕切用条体を帯状体で形成すると共に該仕切用条体を繰り出し又は巻取収納可能にした巻取装置を支柱に取り付けたものが提案されており（例えば、特許文献１、特許文献２）、また、前記帯条体に案内文字等の表示をするようにしたものもある（特許文献３）。
【特許文献１】実開昭６３−１３６０１０号公報
【特許文献２】特許第２９３２２４４号公報
【特許文献３】実公昭３５−１５６３８号公報
【０００３】
従来の前記仕切用支柱は、安定性の要求から円錐状又は円盤状に形成した設置台の重量を重くすると共にその設置台から金属製ポールを一体的に立設した構造のものであり、搬送、保管、移動等の際に頗る不便であった。また、前記特許文献１〜３のものはこの支柱の上端部に前記巻取装置を取り付けたものである。
【０００４】
一般に、前記のような仕切用支柱は広いスペース内に多数本設置されて通路を区画するものであるから、外観的に好ましい体裁をなしていることが望まれるのは勿論であるが、これを広告宣伝に有効利用することが考えられる。ところが、従来は、前記特許文献３に示すように、支柱間に差し渡される仕切用条体を帯状体に形成してこれに案内文字等を表示する程度でしか利用されていない。
【考案の開示】
【考案が解決しようとする課題】
【０００５】
解決しようとする問題点は、従来の仕切用支柱では設置台と支柱とが一体的になっていてその取扱いが不便であった点と、広いスペース内に多数本設置されるのにこれを広告宣伝手段として有効利用されていない点である。
【課題を解決するための手段】
【０００６】
本考案は、設置台と、該設置台に立設される支柱と、該支柱に取り付けられ隣接する支柱との間に差し渡される仕切用条体と、を備えた仕切用支柱において、前記支柱は前記設置台に対して着脱自在になっていると共に該支柱の少なくとも中腹部は透明な筒体で形成されていて、該筒体内に広告用印刷物又は宣伝用商品その他の広告宣伝媒体を収納し得るように構成されていることを最も主要な特徴とする。
【考案の効果】
【０００７】
本考案の請求項１に係る仕切用支柱によれば、設置台に対して支柱が着脱自在になっていて分離可能であるから、搬送、保管、移動等の際に頗る便利である。また、設置台から支柱を取り外し、該支柱内部に広告用印刷物又は宣伝用商品その他の広告宣伝媒体を収納することにより、該支柱は少なくとも中腹部が透明になっている筒体であるから、該広告宣伝媒体を外部から透視することができ、体裁の良好な広告宣伝手段とすることができる。
【０００８】
本考案の請求項２に係る仕切用支柱によれば、支柱には帯状体で形成された仕切用条体を繰り出し又は巻取収納可能にした巻取装置が取り付けられ、該支柱に対して前記巻取装置が着脱可能になっており、支柱の巻取装置から繰り出された仕切用条体の係止具を隣接する支柱の巻取装置の前記係入用突片にロック状態で係止するようになっているから、前記係止具がみだりに外れたりすることはなく、従来のもののように、係止具が外れることにより前記仕切用条体が急激に巻き戻されて危険が発生する等のおそれはない。
【０００９】
本考案の請求項３に係る仕切用支柱によれば、支柱の下端部を設置台のボス部に簡単に着脱することができる。
【考案を実施するための最良の形態】
【００１０】
仕切用支柱を設置すべき室内等のスペース内に重量物である設置台を所定間隔で設置し、少なくとも中腹部が透明体で形成されている支柱内に広告用印刷物や商品等を収納し、この支柱を各設置台に取り付け、各支柱間に仕切用条体を差し渡して、通行、待機等のエリアを区画する。
【実施例１】
【００１１】
図１及び図２は、本考案に係る仕切用支柱の実施例を示す斜視図であり、この仕切用支柱１は、設置台２と、該設置台２に立設される支柱３と、該支柱３に取り付けられ隣接する支柱３との間に差し渡される仕切用条体４と、を備え、前記支柱３は前記設置台２に対して着脱自在になっていると共に該支柱３の少なくとも中腹部は透明な筒体３０で形成されていて、該筒体３０内に広告用印刷物５ａ又は宣伝用商品５ｂその他の広告宣伝媒体５を収納し得るように構成されている。
【００１２】
図１においては前記筒体３０内に広告用印刷物５ａを収納した例が示され、図２においては前記筒体３０内に宣伝用商品５ｂを収納した例が示されている。
【００１３】
前記設置台２は、図３〜図５に示すように、重量物からなる円盤状の本体部２０の中央部に支柱挿嵌用のボス部２１が設けられると共に該ボス部２１には出没可能なロック用突起部２２が設けられ、前記ボス部２１に外嵌される筒体下端部３１には前記ロック用突起部２２が嵌合するロック穴３２が設けられている。
【００１４】
前記ロック用突起部２２は樹脂製板バネ２２ａに突起２２ｂを形成することにより出没自在となっている。図において、２３はボス取付用ナット、２４は前記ロック用突起部２２の下方に突設したガイド突起、３３は前記ガイド突起２２が挿入されるように前記ロック穴３２の下方に形成したガイド用切欠部である。
【００１５】
前記支柱３を構成する筒体３０は透明アクリル樹脂製の円筒体であり、該円筒体の上端部には帯状体で形成された前記仕切用条体４を繰り出し又は巻取収納可能にした巻取装置６が着脱自在に取り付けられる。
【００１６】
図６及び図７に示すように、仕切用条体４の先端には先端側に係入溝７ａを縦設した係止具７が取り付けられ、巻取装置６の外ケース６ａには前記係入溝７ａに係入する係入用突片８が４方向に設けられており、該係入用突片８の一端側には前記係入用突片８に係入した状態の係止具７をロックするためのロックピン８ａが出没自在に設けられていて、巻取装置６から繰り出された仕切用条体４の係止具７を、隣接する支柱３の巻取装置６の前記係入用突片８にロック状態で係止するように構成されている。
【実施例２】
【００１７】
以上の実施例では、支柱３を透明な円筒体で形成したが、例えば、図５に仮想線で示すように、前記設置台２に芯材支柱部９を立設し、この芯材支柱部９の外周面９ａとの間に所定の隙間Ｓを有するように透明な筒体３０を前記芯材支柱部９に外嵌するように構成してもよい。
【００１８】
また、図８に示すように、前記筒体３０の下端部３１を補強するために金属製の補強部材１０を取り付け、この補強部材１０に前記ロック穴３２及びガイド用切欠部３３を形成するようにしてもよい。
【００１９】
すなわち、本考案においては、支柱３の少なくとも中腹部が透明な筒体で形成されていることが特徴であり、この筒体内に広告印刷物５ａを丸めて収納したり宣伝用商品５ｂを収納することにより、これらの広告宣伝媒体５を外部から透視できるようにすることが主要な特徴をなすものである。
【産業上の利用可能性】
【００２０】
本考案の仕切用支柱は、従来のものと同様に、例えば、仕切用条体として広幅のものを使用することにより、該仕切用条体を案内表示体や広告表示体として利用することができるのは勿論である。
【図面の簡単な説明】
【００２１】
【図１】本考案に係る仕切用支柱の実施例を示し、筒体内に広告用印刷物を収納した例の斜視図である。
【図２】筒体内に宣伝用商品を収納した例の斜視図である。
【図３】設置台と支柱との分離状態を示す要部の斜視図である。
【図４】設置台に対して筒状の支柱を取り付ける過程を示す要部の断面図である。
【図５】設置台に対して筒状の支柱を取り付けた状態を示す要部の断面図である。
【図６】仕切用条体を隣接の仕切用支柱に差し渡す過程を示す要部の正面図である。
【図７】仕切用条体を隣接の仕切用支柱に差し渡した状態の要部の正面図である。
【図８】筒体の下端部に補強部材を取り付けた状態を示す要部の斜視図である。
【符号の説明】
【００２２】
１    仕切用支柱
２    設置台
３    支柱
４    仕切用条体
５    広告宣伝媒体
６    巻取装置
７    係止具
８    係入用突片
９    芯材支柱部
１０  補強部材
【図１】
0003105325.tif 000003
【図２】
0003105325.tif 000004
【図３】
0003105325.tif 000005
【図４】
0003105325.tif 000006
【図５】
0003105325.tif 000007
【図６】
0003105325.tif 000008
【図７】
0003105325.tif 000009
【図８】
0003105325.tif 000010